(57)【要約】【課題】基地局が自局に対して設定したＡＬを予測することにより、自局宛の制御情報を効率的に検出可能な移動局を提供する。【解決手段】本発明に係る移動局（１）は、複数の制御チャネル要素を有する下り制御チャネルに含まれる基地局から自局への制御情報を検出するために、前記制御情報の割当候補位置に属する制御チャネル要素の信号を復号する移動局であって、前回の制御情報を含む制御チャネル要素数を記憶する記憶部（４０）と、前記制御チャネル要素数に応じた前記制御情報の割当候補位置に属する制御チャネル要素から信号の復号を開始するように制御する制御部（２０）と、を備える。【選択図】図１
2011155511.tif 000002
【特許請求の範囲】
【請求項１】
複数の制御チャネル要素を有する下り制御チャネルに含まれる基地局から自局への制御情報を検出するために、前記制御情報の割当候補位置に属する制御チャネル要素の信号を復号する移動局であって、
前回の制御情報を含む制御チャネル要素数を記憶する記憶部と、
前記制御チャネル要素数に応じた前記制御情報の割当候補位置に属する制御チャネル要素から信号の復号を開始するように制御する制御部と、を備える移動局。
【請求項２】
複数の制御チャネル要素を有する下り制御チャネルに含まれる基地局から自局への制御情報を検出するために、前記制御情報の割当候補位置に属する制御チャネル要素の信号を復号する移動局であって、
前記基地局に送信した受信品質レポートと、前記受信品質レポート送信後に前記基地局から受信した制御情報を含む制御チャネル要素数との対応表を記憶する記憶部と、
新たな受信品質レポートを前記基地局に送信した後、前記対応表に基づき、前記新たな受信品質レポートに対応する制御チャネル要素数を取得し、当該取得した制御チャネル要素数に応じた前記制御情報の割当候補位置に属する制御チャネル要素から信号の復号を開始するように制御する制御部と、を備える移動局。
【請求項３】
前記制御部は、前記対応表から取得した前記制御チャネル要素数に応じた前記割当候補位置に自局宛の制御信号が存在せず、前記制御チャネル要素数よりも少ない第２の制御チャネル要素数に応じた割当候補位置から自局宛の制御信号を検出した場合、それ以降の制御情報検出において、前記第２の制御チャネル要素数に応じた前記制御情報の割当候補位置に属する制御チャネル要素から信号の復号を開始するように制御することを特徴とする請求項２に記載の移動局。
【請求項４】
前記制御部は、Ｎ個（Ｎ＞１）の連続する制御チャネル要素に含まれている制御情報を検出する場合、前記Ｎ個の連続する制御チャネル要素の一部の制御チャネル要素の受信レベルが閾値以上であるかを判断し、前記一部の制御チャネル要素の受信レベルが閾値以上である場合、前記一部の制御チャネル要素のみを復号するように前記復号部を制御することを特徴とする、請求項１乃至３のいずれか一項に記載の移動局。
【請求項５】
複数の制御チャネル要素を有する下り制御チャネルに含まれる基地局から自局への制御情報を検出するために、前記制御情報の割当候補位置に属する制御チャネル要素の信号を復号する制御情報の復号方法であって、
前回の制御情報を含む制御チャネル要素数を記憶するステップと、
前記制御チャネル要素数に応じた前記制御情報の割当候補位置に属する制御チャネル要素から信号の復号を開始するように制御するステップと、を有する制御情報の復号方法。
【請求項６】
複数の制御チャネル要素を有する下り制御チャネルに含まれる基地局から自局への制御情報を検出するために、前記制御情報の割当候補位置に属する制御チャネル要素の信号を復号する制御情報の復号方法であって、
前記基地局に送信した受信品質レポートと、前記受信品質レポート送信後に前記基地局から受信した制御情報を含む制御チャネル要素数との対応表を記憶するステップと、
新たな受信品質レポートを前記基地局に送信した後、前記対応表に基づき、前記新たな受信品質レポートに対応する制御チャネル要素数を取得し、前記制御チャネル要素数に応じた前記制御情報の割当候補位置に属する制御チャネル要素から信号の復号を開始するように制御するステップと、を有する制御情報の復号方法。
【発明の詳細な説明】
【技術分野】
【０００１】
本発明は、移動局及び制御情報の復号方法に関し、特に、基地局からの下り制御チャネルに含まれる自局宛制御情報を検出する移動局及び制御情報の復号方法に関する。
【背景技術】
【０００２】
近年、移動体通信方式の標準化団体である３ＧＰＰにおいて、ＬＴＥ（Long Term Evolution）に関する検討が進められている。ＬＴＥの基地局は、配下の移動局に対してユーザデータを送信するために、どの移動局にどのユーザデータチャネルを割り当てるかというスケジューリングを行う。そして、基地局は、下りの制御チャネルであるＰＤＣＣＨ（Physical Downlink Control Channel）を用いて、各移動局にスケジューリング結果（制御情報）を通知する（例えば、非特許文献１〜３参照）。
【０００３】
基地局からの制御情報は、ＰＤＣＣＨに含まれるＣＣＥ（Control Channel Element：制御チャネル要素）を単位として各移動局に送信される。図４は、ＣＣＥへの制御情報の割当の一例を示す図である。各移動局への制御情報に対して使用されるＣＣＥの数はＡｇｇｒｅｇａｔｉｏｎ Ｌｅｖｅｌ（以下「ＡＬ」と称する。）と呼ばれる。基地局は、配下の移動局の数や、各移動局の無線通信品質などを考慮して、各移動局に割り当てるＡＬを設定する。ＡＬは、１、２、４、又は８のいずれかの値が設定される。ＡＬが２以上の場合、基地局は連続するＡＬ個（例えば２個）のＣＣＥに制御情報を割り当てる。図４の場合、基地局は移動局Ａに対するＡＬを１と設定し、２番目のＣＣＥを移動局Ａへの制御情報用に割り当てている。また、基地局は移動局Ｂに対するＡＬを２と設定し、１２番目と１３番目という連続する２個のＣＣＥを移動局Ｂへの制御情報用に割り当てている。なお、各移動局への制御情報のデータ長が割り当てられたＣＣＥよりも短い場合、基地局は、図５に示すとおり、割り当てたＣＣＥの範囲内で同じ制御情報を含むCoding Outputを繰返し設定するというＲａｔｅ Ｍａｔｃｈｉｎｇと呼ばれる処理を行う。
【０００４】
基地局は、制御情報に対して、対応する移動局の固有ＩＤ（ＲＮＴＩ：Radio Network Temporary Identifier）により符号化したＣＲＣを付けて移動局に送信する。移動局は、基地局からＣＣＥを含むＰＤＣＣＨを受信すると、各ＣＣＥに含まれる信号のＣＲＣを自局の固有ＩＤにより復号化してＣＲＣチェックを行う（ＣＲＣ復号）。ＣＲＣチェックが通った場合、移動局はその信号が自局宛の制御情報であると判断することが出来る。
【０００５】
なお、移動局がＰＤＣＣＨに含まれる全てのＣＣＥに対してＣＲＣチェックを行うことは効率的ではないため、図４に示すとおり、各移動局に対しては、制御情報の割当候補位置がＡＬ毎に予め設定されている。この割当候補位置は、端末の固有ＩＤや、ＡＬを用いて計算することができる。例えば、移動局Ａは、ＡＬが１の場合の割当候補位置である１番目から５番目のＣＣＥに対してＣＲＣチェックを行えば、自局宛の制御情報（ＡＬ＝１）を見つけることができる。また、移動局Ｂは、ＡＬが２の場合の割当候補位置である１０番目から１３番目のＣＣＥに対してＣＲＣチェックを行えば、自局宛の制御情報（ＡＬ＝２）を見つけることができる。
【０００６】
このように、移動局が基地局から送信される自局宛の制御情報の位置を知らず、制御情報を検出するまで割当候補位置に属するＣＣＥに含まれる信号に対してＣＲＣの復号をすることを、ブラインドデコーディングと呼ぶ。移動局は、対応する割当候補位置に含まれるＣＣＥに対しては、適当な順番でＣＲＣの復号をすることになる。移動局は、ブラインドデコーディングにより自局宛の制御情報を見つけると、当該制御情報を用いて、自局宛のユーザデータを取得したり、上り方向のデータ送信を行うことが可能になる。
【先行技術文献】
【非特許文献】
【０００７】
【非特許文献１】3GPP TS36.211(V8.7.0),"Physical Channels and Modulation", May 2009
【非特許文献２】3GPP TS36.212(V8.7.0), “Evolved Universal Terrestrial Radio Access（E-UTRA）Multiplexing and channel coding”, May 2009
【非特許文献３】3GPP TS36.213(V8.7.0)," Evolved Universal Terrestrial Radio Access（E-UTRA）Physical layer procedures", May 2009
【発明の概要】
【発明が解決しようとする課題】
【０００８】
現在のブラインドデコーディングでは、移動局は、基地局が自局に対して設定したＡＬを知ることができないため、例えばＡＬ＝１、２、４、８の順のように、ＡＬを適当な順序で変化させ、各ＡＬに対する割当候補位置から自局宛の制御情報を検出する必要があった。そのため、自局宛の制御情報が含まれている可能性が低いＡＬについても、対応する割当候補位置に属する全てのＣＣＥに対してＣＲＣ復号を行うなど、処理効率の点で問題があった。
【０００９】
したがって、かかる点に鑑みてなされた本発明の目的は、基地局が自局に対して設定したＡＬを予測することにより、自局宛の制御情報を効率的に検出可能な移動局を提供することにある。
【課題を解決するための手段】
【００１０】
上述した諸課題を解決すべく、第１の観点に係る移動局は、
複数の制御チャネル要素を有する下り制御チャネルに含まれる基地局から自局への制御情報を検出するために、前記制御情報の割当候補位置に属する制御チャネル要素の信号を復号する移動局であって、
前回の制御情報を含む制御チャネル要素数を記憶する記憶部と、
前記制御チャネル要素数に応じた前記制御情報の割当候補位置に属する制御チャネル要素から信号の復号を開始するように制御する制御部と、を備えるものである。
【００１１】
第２の観点に係る移動局は、
複数の制御チャネル要素を有する下り制御チャネルに含まれる基地局から自局への制御情報を検出するために、前記制御情報の割当候補位置に属する制御チャネル要素の信号を復号する移動局であって、
前記基地局に送信した受信品質レポートと、前記受信品質レポート送信後に前記基地局から受信した制御情報を含む制御チャネル要素数との対応表を記憶する記憶部と、
新たな受信品質レポートを前記基地局に送信した後、前記対応表に基づき、前記新たな受信品質レポートに対応する制御チャネル要素数を取得し、当該取得した制御チャネル要素数に応じた前記制御情報の割当候補位置に属する制御チャネル要素から信号の復号を開始するように制御する制御部と、を備えるものである。
【００１２】
第３の観点に係る発明は、第２の観点に係る移動局において、
前記制御部は、前記対応表から取得した前記制御チャネル要素数に応じた前記割当候補位置に自局宛の制御信号が存在せず、前記制御チャネル要素数よりも少ない第２の制御チャネル要素数に応じた割当候補位置から自局宛の制御信号を検出した場合、それ以降の制御情報検出において、前記第２の制御チャネル要素数に応じた前記制御情報の割当候補位置に属する制御チャネル要素から信号の復号を開始するように制御することを特徴とするものである。
【００１３】
第４の観点に係る発明は、第１乃至第３の観点のいずれかに係る移動局において、
前記制御部は、Ｎ個（Ｎ＞１）の連続する制御チャネル要素に含まれている制御情報を検出する場合、前記Ｎ個の連続する制御チャネル要素の一部の制御チャネル要素の受信レベルが閾値以上であるかを判断し、前記一部の制御チャネル要素の受信レベルが閾値以上である場合、前記一部の制御チャネル要素のみを復号するように前記復号部を制御することを特徴とするものである。
【００１４】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１５】
例えば、本発明を方法として実現させた第５の観点による制御情報の復号方法は、
複数の制御チャネル要素を有する下り制御チャネルに含まれる基地局から自局への制御情報を検出するために、前記制御情報の割当候補位置に属する制御チャネル要素の信号を復号する制御情報の復号方法であって、
前回の制御情報を含む制御チャネル要素数を記憶するステップと、
前記制御チャネル要素数に応じた前記制御情報の割当候補位置に属する制御チャネル要素から信号の復号を開始するように制御するステップと、を有するものである。
【００１６】
また、本発明を方法として実現させた第６の観点による制御情報の復号方法は、
複数の制御チャネル要素を有する下り制御チャネルに含まれる基地局から自局への制御情報を検出するために、前記制御情報の割当候補位置に属する制御チャネル要素の信号を復号する制御情報の復号方法であって、
前記基地局に送信した受信品質レポートと、前記受信品質レポート送信後に前記基地局から受信した制御情報を含む制御チャネル要素数との対応表を記憶するステップと、
新たな受信品質レポートを前記基地局に送信した後、前記対応表に基づき、前記新たな受信品質レポートに対応する制御チャネル要素数を取得し、前記制御チャネル要素数に応じた前記制御情報の割当候補位置に属する制御チャネル要素から信号の復号を開始するように制御するステップと、を有するものである。
【発明の効果】
【００１７】
本発明によれば、基地局が自局に対して設定したＡＬを予測することにより、自局宛の制御情報を効率的に検出することができる。
【図面の簡単な説明】
【００１８】
【図１】図１は、本発明の一実施形態に係る移動局の機能ブロック図である。
【図２】図２は、図１に示す移動局の制御部の処理フローチャートである。
【図３】図３は、図１に示す移動局の制御部の処理フローチャートである。
【図４】図４は、ＣＣＥへの制御情報の割当の一例を示す図である。
【図５】図５は、ＣＣＥ内での制御情報の繰返しの一例を示す図である。
【発明を実施するための形態】
【００１９】
以降、諸図面を参照しながら、本発明の実施態様を詳細に説明する。
【００２０】
図１は、本発明の一実施形態に係る移動局１の概略構成を示す図である。移動局１は、アンテナＡＮＴと、生成部１０と、制御部２０と、復号部３０と、記憶部４０とを有する。生成部１０は、ＬＴＥ方式に好適なインタフェース機器／回路から構成され、制御部２０及び復号部３０はＣＰＵ等の好適なプロセッサから構成されるものである。記憶部４０は、フラッシュメモリ等の好適な記憶媒体から構成されるものである。以下、各部の詳細について説明する。
【００２１】
生成部１０は、アンテナＡＮＴを通じて基地局からのＰＤＣＣＨ（下り制御チャネル）の信号を受信すると、受信した信号に対してＲｅｓｏｕｃｅ Ｅｌｅｍｅｎｔ Ｄｅｍａｐｐｉｎｇや復調処理を行い、割当候補位置に属する各ＣＣＥ（制御チャネル要素）に含まれる信号のビット列を生成する。また、生成部１０は、基地局からの受信信号品質を測定、基地局に送付するＣＱＩ（Channel Quality Indicator：受信品質レポート）を生成する。
【００２２】
制御部２０は、記憶部４０を参照し、自局に対して設定されている可能性の高いＡＬ（制御チャネル要素数）を予測し、当該ＡＬに対応する割当候補位置に属するＣＣＥから復号部３０がＣＲＣ復号を開始するように制御する。
【００２３】
図２は、制御部２０の第１のアルゴリズムを示す処理フローチャートである。この場合、記憶部４０は、前回の下り制御チャネルに含まれていた自局宛の制御情報のＡＬを記憶している。なお、制御情報のＡＬとは、制御情報を含むＣＣＥの数（制御チャネル要素数）と同義である。制御部２０は、記憶部４０を参照し、前回の制御情報を含むＡＬを取得する（ステップＳ１０１）。ＡＬは基地局が設定するものであるが、基地局配下の通信状況に大きな変化が無い場合、基地局は、同じ移動局に対しては同じＡＬを設定することが考えられる。そのため、制御部２０は、記憶部４０から取得した前回のＡＬに対応する割当候補位置に属するＣＣＥから、復号部３０がＣＲＣ復号を開始するように制御する（ステップＳ１０２）。
【００２４】
図３は、制御部２０の第２のアルゴリズムを示す処理フローチャートである。この場合、記憶部４０は、過去に移動局が基地局に送信したＣＱＩと、当該ＣＱＩ送信後に基地局から受信した制御信号のＡＬとの対応表を記憶している。制御部２０は、基地局に対して新たに送信するＣＱＩを生成部１０から取得し（ステップＳ２０１）、記憶部４０から、対応表に基づき、当該ＣＱＩに対応するＡＬを取得する（ステップＳ２０２）。ＡＬは基地局が設定するものであるが、基地局配下の通信状況に大きな変化が無い場合、基地局は、移動局から受信したＣＱＩと移動局に設定するＡＬとの関係を維持することが考えられる。このため、制御部２０は、新たに送信するＣＱＩに対応するＡＬに応じた割当候補位置に属するＣＣＥから、復号部３０がＣＲＣ復号を開始するように制御する（ステップＳ２０３）。
【００２５】
復号部３０は、制御部２０の制御に従い、各ＣＣＥに含まれる信号のＣＲＣを自局の固有ＩＤにより復号化し、ＣＲＣチェックを行う。ＣＲＣチェックが通った場合、移動局はその信号が自局宛の制御情報であると判断することが出来る。
【００２６】
このように、本実施形態によれば、記憶部４０が前回の制御情報のＡＬを記憶し、制御部４０は、当該ＡＬに応じた制御情報の割当候補位置に属するＣＣＥから信号の復号を開始するように制御するため、移動局１は、自局宛の制御情報を効率的に検出することができる。また、制御情報を早く検出することにより、制御情報を利用したユーザデータの受信や、アップリンクのデータ送信など、後段の処理を迅速に行うことが出来る。
【００２７】
また、本実施形態によれば、記憶部４０が基地局に送信したＣＱＩと、当該ＣＱＩ送信後に基地局から受信した制御情報のＡＬとの対応表を記憶し、制御部２０は、新たなＣＱＩを基地局に送信した後、対応表から新たなＣＱＩに対応するＡＬを取得し、当該ＡＬに応じた制御情報の割当候補位置に属するＣＣＥから信号の復号を開始するように制御するため、移動局１は、自局宛の制御情報を効率的に検出することができる。
【００２８】
なお、制御部２０は、第２のアルゴリズムにおいて、記憶部４０の対応表から取得したＡＬに応じた割当候補位置に自局宛の制御信号が存在せず、取得したＡＬよりも少ない第２のＡＬに応じた割当候補位置から自局宛の制御信号を検出した場合、それ以降の制御情報検出において、第２のＡＬに応じた制御情報の割当候補位置に属するＣＣＥから信号の復号を開始するように制御することができる。上述のとおり、基地局は、一般的には移動局から受信したＣＱＩと移動局に設定するＡＬとの関係を維持することが考えられるが、基地局配下の移動局の数が増えた場合など、ＣＱＩとＡＬとの対応関係を維持することができない場合も生じうる。この場合、基地局はＣＱＩと対応関係にあるＡＬよりも小さいＡＬを移動局に設定すると考えられるため、移動局１は、当該小さいＡＬに基づきＣＲＣ復号を開始することにより、自局宛の制御情報を効率的に検出することができる。また、この場合、移動局１は、例えばＡＬ＝１という最小のＡＬに基づきＣＲＣ復号を開始してもよい。
【００２９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００３０】
例えば、ＡＬが２以上であって、２以上の連続するＣＣＥに含まれている制御情報を検出する場合、制御部２０は、連続するＣＣＥの一部のＣＣＥの受信レベル（受信強度、軟値平均など）が閾値以上であるかを判断し、受信レベルが閾値以上である場合、当該一部のＣＣＥのみについてＣＲＣ復号を行うように制御することができる。上述のとおり、ＣＣＥの受信レベルによって制御情報が含まれている可能性を判断することができ、また、受信レベルが十分高い場合、信号としての信頼性が高く、制御信号として復号できる可能性が高いためである。即ち、制御情報が含まれている可能性の高いＣＣＥのみについてＣＲＣ復号を行うことにより、不要な繰返し処理を防止でき、自局宛の制御情報を効率的に検出することが可能となる。
【符号の説明】
【００３１】
１  移動局
１０  生成部
２０  制御部
３０  復号部
４０  記憶部
【図１】
2011155511.tif 000003
【図２】
2011155511.tif 000004
【図３】
2011155511.tif 000005
【図４】
2011155511.tif 000006
【図５】
2011155511.tif 000007